(57)【要約】【課題】安定した制御を行うことが可能な空調システムを提供すること。【解決手段】空調室１８には、複数の独立した第１ＡＣ９ａ、第２ＡＣ９ｂ、第３ＡＣ９ｃが設けられる。モード設定部３２には、入出力端末１９から取得した居室２ａ〜２ｄそれぞれの個別目標温度と屋外温度センサー７が取得した屋外温度とが入力される。モード設定部３２は、この個別目標温度と屋外温度とに基づいて、第１ＡＣ９ａ、第２ＡＣ９ｂ、第３ＡＣ９ｃそれぞれに対して冷房モードと当該冷房モード動作時の冷房設定温度または暖房モードと当該暖房モード動作時の暖房設定温度を設定する。【選択図】図２
2020165632.tif 000002
【特許請求の範囲】
【請求項１】
空調室に設けられ独立して制御可能な複数の空調機と、
前記空調室の空気を前記空調室とは異なる複数の居室に搬送する、前記複数の居室毎に対応して設けられた複数の搬送ファンと、
前記複数の居室それぞれの温度を取得する居室温度センサーと、
屋外温度を取得する屋外温度センサーと、
前記空調室の温度を取得する空調室温度センサーと、
前記複数の居室それぞれの目標温度である個別目標温度の入力を受け付ける目標温度入力受付部と、
前記空調機と前記搬送ファンを制御するシステムコントローラと、を備え、
前記システムコントローラは、
前記目標温度入力受付部から取得した前記個別目標温度と前記居室温度センサーが取得した複数の居室それぞれの温度と前記空調室温度センサーが取得した空調室の温度とに基づいて個々の前記搬送ファンの送風量を決定する送風量決定部と、
前記目標温度入力受付部から取得した前記個別目標温度と前記屋外温度センサーが取得した屋外温度とに基づいて、前記複数の独立した空調機それぞれに対して冷房モードと当該冷房モード動作時の冷房設定温度または暖房モードと当該暖房モード動作時の暖房設定温度を設定するモード設定部と、
前記モード設定部による設定に基づいて空調された前記空調室の空気を、前記送風量決定部により決定された前記搬送ファンの送風量で前記居室に独立して送風するファン風量制御部と、を備えた空調システム。
【請求項２】
前記モード設定部は、
複数の前記個別目標温度のうち最も低い温度を最低目標温度、最も高い温度を最高目標温度とし、屋外温度が前記最高目標温度以上に設定される第１閾値よりも低く前記最低目標温度以下に設定される第２閾値よりも高い場合には中間期と判定して複数の空調機のうちの少なくとも一つに前記暖房モードを設定し他の少なくとも一つに前記冷房モードを設定する請求項１記載の空調システム。
【請求項３】
前記モード設定部は、前記中間期と判定した場合に、
前記暖房モードを設定した空調機の設定温度を前記最低目標温度以下とし、
前記冷房モードを設定した空調機の設定温度を前記最高目標温度以上とする、請求項２に記載の空調システム。
【請求項４】
前記モード設定部は、前記中間期と判定した場合に、
前記暖房モードを設定した空調機の設定温度を前記最低目標温度より大きく複数の前記個別目標温度の平均値以下の温度に設定し、
前記冷房モードを設定した空調機の設定温度を前記最高目標温度未満であって前記平均値以上の温度に設定する請求項２記載の空調システム。
【請求項５】
前記モード設定部は、前記中間期と判定した場合に、前記暖房モードを設定した空調機及び前記冷房モードを設定した空調機の設定温度を前記平均値とする請求項４に記載の空調システム。
【請求項６】
前記モード設定部は、前記中間期と判定した場合に、
居室ごとに前記居室温度センサーが取得した温度と当該居室の目標温度との差の絶対値を算出し、最も絶対値の大きな居室の温度を当該居室の目標温度に到達させることのできる温度に前記空調機の設定温度を設定する請求項２に記載の空調システム。
【請求項７】
前記モード設定部は、
前記最も絶対値の大きな居室の目標温度が前記空調室の温度よりも高い場合には前記暖房モードに設定した空調機に対して設定温度を前記目標温度以上に設定し、
前記最も絶対値の大きな居室の目標温度が前記空調室の温度よりも低い場合には前記冷房モードに設定した空調機に対して設定温度を前記目標温度以下に設定する、請求項６に記載の空調システム。
【請求項８】
前記モード設定部は、
複数の前記個別目標温度のうち最も高い温度を最高目標温度とし、屋外温度が前記最高目標温度以上に設定される第１閾値よりも高い場合には冷房期と判定して少なくとも複数の空調機に前記冷房モードを設定する請求項１記載の空調システム。
【請求項９】
前記モード設定部は、
前記冷房モードを設定するとともに当該冷房モード動作時の冷房設定温度を複数の前記個別目標温度のうち最も低い温度である最低目標温度以下の温度とする請求項８記載の空調システム。
【請求項１０】
前記モード設定部は、
複数の前記個別目標温度のうち最も低い温度を最低目標温度とし、屋外温度が前記最低目標温度以下に設定される第２閾値よりも低い場合には暖房期と判定して少なくとも複数の空調機に前記暖房モードを設定する請求項１記載の空調システム。
【請求項１１】
前記モード設定部は、
前記暖房モードを設定するとともに当該暖房モード動作時の暖房設定温度を複数の前記個別目標温度のうち最も高い温度である最高目標温度以上の温度とする請求項１０記載の空調システム。
【請求項１２】
前記モード設定部は、
前記空調機に冷房モードまたは暖房モードを設定した後は所定時間が経過する間、当該設定した動作モードの変更を行わない請求項１から１１のいずれかに記載の空調システム。
【請求項１３】
前記モード設定部は、
前記中間期の判定を、太陽の南中時刻の前後４時間の範囲内で行う請求項２記載の空調システム。
【請求項１４】
前記空調室に外気を導入する外気導入ファンを備え、
前記モード設定部は、
前記中間期と判定した場合であって前記屋外温度が前記最低目標温度から前記最高目標温度の範囲内である場合には、前記屋外温度が前記最高目標温度よりも高くまたは前記最低目標温度よりも低い場合よりも前記外気導入ファンによる前記空調室への外気導入量を増加させる請求項２記載の空調システム。
【請求項１５】
前記空調室の湿度を取得する空調室湿度センサーと、
前記居室の目標湿度の入力を受け付ける目標湿度入力受付部と、を備え、
前記システムコントローラは、
中間期と判定され、さらに前記空調室湿度センサーが取得した空調室の湿度が前記目標湿度入力受付部から取得した前記目標湿度よりも高い場合に、
前記複数の独立した空調機のうち少なくとも１つに対して冷房モードと、前記冷房モード動作時の冷房設定温度を、前記空調室温度センサーが取得した空調室の温度と前記空
調室湿度センサーが取得した空調室の湿度とに基づいて前記空調室の空気を除湿できる温度に設定し、
前記冷房モードに設定した空調機以外の他の少なくとも１つの空調機に対して暖房モードと当該暖房モード動作時の暖房設定温度を設定する請求項１記載の空調システム。
【請求項１６】
空調室に設けられ独立して制御可能な複数の空調機と、
前記空調室の空気を前記空調室とは異なる複数の居室に搬送する搬送ファンと、
前記空調室の温度を取得する空調室温度センサーと、
前記空調室の湿度を取得する空調室湿度センサーと、
前記居室の目標湿度の入力を受け付ける目標湿度入力受付部と、
前記空調機を制御するシステムコントローラと、を備え、
前記システムコントローラは、
前記空調室湿度センサーが取得した空調室の湿度が前記目標湿度入力受付部から取得した前記目標湿度よりも高い場合に、
前記複数の独立した空調機のうち少なくとも１つに対して冷房モードと、前記冷房モード動作時の冷房設定温度を、前記空調室温度センサーが取得した空調室の温度と前記空調室湿度センサーが取得した空調室の湿度とに基づいて前記空調室の空気を除湿できる温度に設定し、
前記冷房モードに設定した空調機以外の他の少なくとも１つの空調機に対して暖房モードと当該暖房モード動作時の暖房設定温度を設定する、モード設定部を備えた空調システム。
【請求項１７】
前記居室の目標温度の入力を受け付ける目標温度入力受付部と、
前記空調室の温度を取得する空調室温度センサーと、を備え、
前記システムコントローラは、
前記冷房モードに設定した空調機による冷却に対して、前記暖房モードに設定した空調機による加熱により前記空調室の温度を前記居室の目標温度に維持する前記暖房設定温度とする請求項１６記載の空調システム。
【請求項１８】
前記システムコントローラは、
前記目標湿度と前記空調室の湿度との乖離の大きさに基づいて前記冷房モードで動作する空調機の前記冷房設定温度を設定する請求項１４記載の空調システム。
【請求項１９】
前記目標湿度入力受付部は前記目標湿度を所定の湿度範囲として受け付ける請求項１６記載の空調システム。
【発明の詳細な説明】
【技術分野】
【０００１】
本発明は、空調システムに関する。
【背景技術】
【０００２】
従来、複数個の居室を備えた高断熱・高気密家屋において、少なくともひとつの空調室を独立して設け、１台の空調機で空調室内の空調を制御し、その空調室と各居室とを給気ダクトで連結して空調室内空気を個別的に分配給する全館空調型の空調システムが知られている（例えば、特許文献１）。
【０００３】
このような従来の空調システムでは、各居室の目標温度に応じて空調室の温度が設定され、これに応じて空調機の自動運転により冷房モードと暖房モードとを切り替えることで、各居室が目標温度となるように空調室内を空調している。この従来の空調システムは、専用の空調機を必要とせず、空調機のメーカを限定しない全館空調が実現できる。
【先行技術文献】
【特許文献】
【０００４】
【特許文献１】特開２０１１−１２７８４５号公報
【発明の概要】
【発明が解決しようとする課題】
【０００５】
しかしながら、このような従来の空調システムが一日を通して寒暖差が激しい季節や地域で使用されると、自動運転された空調機の動作モードが冷房モードと暖房モードとで頻繁に切り替えられ、空調機の寿命が短くなるおそれがある。また、空調機の自動運転による冷房モードと暖房モードとの切り替えは、空調機のメーカや空調機そのものに応じた動作となるため、特に冷房期でも暖房期でもない各居室の目標温度と屋外温度とがほぼ同じとなる中間期では、空調機の動作が予想できないという問題点があった。このように、上記した全館空調型の空調システムは、安定した制御を行う点で未だ改善の余地がある。
【０００６】
本発明は、上記事情に鑑みてなされたものであり、安定した制御を行うことが可能である空調システムを提供することを目的とする。
【０００７】
また、本発明の他の目的は、効率よい除湿が可能である空調システムを提供することである。
【課題を解決するための手段】
【０００８】
この目的を達成するために、本発明の空調システムは、複数の空調機と、複数の搬送ファンと、居室温度センサーと、屋外温度センサーと、空調室温度センサーと、目標温度入力受付部と、システムコントローラと、を備える。複数の空調機は、空調室に設けられそれぞれ独立して制御可能である。複数の搬送ファンは、空調室の空気を空調室とは異なる複数の居室に搬送するもので、複数の居室毎に対応して設けられる。居室温度センサーは、複数の居室それぞれの温度を取得する。屋外温度センサーは、屋外温度を取得する。空調室温度センサーは、空調室の温度を取得する。目標温度入力受付部は、複数の居室それぞれの目標温度である個別目標温度の入力を受け付ける。システムコントローラは、空調機と搬送ファンを制御するもので、送風量決定部と、モード設定部と、ファン風量制御部と、を備える。送風量決定部は、目標温度入力受付部から取得した個別目標温度と居室温度センサーが取得した複数の居室それぞれの温度と空調室温度センサーが取得した空調室の温度とに基づいて個々の前記搬送ファンの送風量を決定する。モード設定部は、目標温
度入力受付部から取得した個別目標温度と屋外温度センサーが取得した屋外温度とに基づいて、複数の独立した空調機それぞれに対して冷房モードと当該冷房モード動作時の冷房設定温度または暖房モードと当該暖房モード動作時の暖房設定温度を設定する。ファン風量制御部は、モード設定部による設定に基づいて空調された空調室の空気を、送風量決定部により決定された搬送ファンの送風量で居室に独立して送風する。
【０００９】
また、本発明の空調システムは、空調室に設けられ独立して制御可能な複数の空調機と、空調室の空気を空調室とは異なる複数の居室に搬送する搬送ファンとを備える。また、空調室の温度を取得する空調室温度センサーと、空調室の湿度を取得する空調室湿度センサーと、居室の目標湿度の入力を受け付ける目標湿度入力受付部と、空調機を制御するシステムコントローラと、を備える。そして空調室湿度センサーが取得した空調室の湿度が目標湿度入力受付部から取得した目標湿度よりも高い場合に、複数の独立した空調機のうち少なくとも１つに対して冷房モードと、冷房モード動作時の冷房設定温度を、空調室温度センサーが取得した空調室の温度と空調室湿度センサーが取得した空調室の湿度とに基づいて空調室の空気を除湿できる温度に設定し、冷房モードに設定した空調機以外の他の少なくとも１つの空調機に対して暖房モードと当該暖房モード動作時の暖房設定温度を設定するモード設定部と、を備える。
【発明の効果】
【００１０】
本発明の空調システムによれば、目標温度入力受付部から取得した複数の居室それぞれの個別目標温度と屋外温度センサーが取得した屋外温度とに基づいて、複数の独立した空調機それぞれに対して冷房モードと当該冷房モード動作時の冷房設定温度または暖房モードと当該暖房モード動作時の暖房設定温度が、モード設定部により設定される。そして、そのモード設定部による設定に基づいて空調された空調室の空気が、送風量決定部により決定された搬送ファンの送風量で、モード風量制御部により居室に独立して送風される。これにより、複数の空調機に対して独立して冷房モードと冷房設定温度または暖房モードと暖房設定温度が設定されるので、空調機の自動運転を用いずに空調室の空調を安定して制御できる。よって、安定した制御を行うことが可能な空調システムを提供できるという効果がある。
【００１１】
また、除湿器を設けることなく空調室の除湿を実現できるという効果がある。
【図面の簡単な説明】
【００１２】
【図１】本発明の第１実施形態に係る換気空調システムの接続概略図である。
【図２】同換気空調システムのシステムコントローラの概略機能ブロック図である。
【図３】同システムコントローラにて実行されるモード設定処理を示すフローチャートである。
【図４】同システムコントローラにて実行されるモード確定処理を示すフローチャートである。
【図５】同システムコントローラにて実行される送風量決定処理を示すフローチャートである。
【図６】本発明の第２実施形態に係る換気空調システムのシステムコントローラにて実行されるモード確定処理を示すフローチャートである。
【図７】本発明の第３実施形態に係る換気空調システムのシステムコントローラにて実行されるモード確定処理を示すフローチャートである。
【図８】同システムコントローラにて実行される送風量決定処理を示すフローチャートである。
【図９】本発明の第４実施形態に係る換気空調システムのシステムコントローラにて実行されるモード確定処理を示すフローチャートである。
【図１０】本発明の第５実施形態に係る換気空調システムのシステムコントローラにて実行されるモード確定処理を示すフローチャートである。
【図１１】本発明の第６実施形態に係る換気空調システムのシステムコントローラにて実行されるモード確定処理を示すフローチャートである。
【発明を実施するための形態】
【００１３】
以下、本発明を実施するための形態について添付図面を参照して説明する。なお、以下に説明する実施の形態は、いずれも本発明の好ましい一具体例を示すものである。よって、以下の実施の形態で示される、数値、形状、材料、構成要素、構成要素の配置位置及び接続形態、並びに、ステップ（工程）及びステップの順序などは、一例であって本発明を限定する主旨ではない。従って、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略又は簡略化する。
【００１４】
（第１実施形態）
まず、図１を参照して、本発明の空調システムの一実施形態である第１実施形態に係る換気空調システム２０について説明する。図１は、本第１実施形態に係る換気空調システム２０の接続概略図である。
【００１５】
換気空調システム２０は、外気導入ファン４と、複数の排気ファン５ａ，５ｂ，５ｃ，５ｄと、複数の搬送ファン３ａ，３ｂ，３ｃ，３ｄと、複数の循環ファン６ａ，６ｂ，６ｃ，６ｄと、屋外温度センサー７と、居室温度センサー１１ａ，１１ｂ，１１ｃ，１１ｄと、居室湿度センサー１２ａ，１２ｂ，１２ｃ，１２ｄと、空調室温度センサー１４と、空調室湿度センサー１５と、複数のエアコンディショナー９ａ，９ｂ，９ｃと、加湿器１６と、除湿器１７と、入出力端末１９と、システムコントローラ１０とを備えて構成される。
【００１６】
換気空調システム２０は、建物の一例である一般住宅１内に設置される。一般住宅１は、複数（本実施形態では４つ）の居室２ａ〜２ｄに加え、居室２ａ〜２ｄと独立した少なくとも１つの空調室１８を有している。ここで一般住宅１（住宅）とは、居住者がプライベートな生活を営む場として提供された住居であり、一般的な構成として居室にはリビング、ダイニング、寝室、個室、子供部屋等が含まれる。また換気空調システム２０が提供する居室にトイレ、浴室、洗面所、脱衣所等を含んでもよい。
【００１７】
空調室１８では、外気導入ファン４により外気が空調室１８内に取り込まれ、循環ファン６ａ〜６ｄによって各居室２ａ〜２ｄより搬送された空気と混合される。空調室１８の空気は、空調室１８内に設けられた複数（本実施形態では３台）のエアコンディショナー９ａ〜９ｃ、加湿器１６及び除湿器１７によって温度及び湿度が制御されることにより空調される。空調室１８にて空調された空気は、搬送ファン３ａ〜３ｄにより、各居室２ａ〜２ｄに搬送される。つまり、換気空調システム２０により、一般住宅１に対して全館空調が行われる。
【００１８】
各居室２ａ〜２ｄの空気は、循環ファン６ａ〜６ｄにより空調室１８へ搬送される他、排気ファン５ａ〜５ｄによって居室２ａ〜２ｄ内から一般住宅１外へ外気として排出される。換気空調システム２０は、排気ファン５ａ〜５ｄの排気風量を制御して室内から外気を排出しつつ、その排気ファン５ａ〜５ｄの排気風量と連動させながら外気導入ファン４の給気風量を制御して室内に外気を取り込むことで、第１種換気方式の換気が行われる。
【００１９】
外気導入ファン４は、一般住宅１の室内に外気を取り込むファンであり、給気ファンや熱交換気扇の給気機能等が該当する。上述した通り、外気導入ファン４により取り込まれ
た外気は、空調室１８内に導入される。外気導入ファン４の給気風量は、複数段階で設定可能に構成されており、その排気風量は、排気ファン５ａ〜５ｄの排気風量に応じて設定される。
【００２０】
排気ファン５ａ〜５ｄは、対応する居室２ａ〜２ｄの空気の一部を外気として排出するファンであり、天埋換気扇、壁掛換気扇、レンジフード、熱交換気扇の排気機能等が該当する。排気ファン５ａは居室２ａに、排気ファン５ｂは居室２ｂに、排気ファン５ｃは居室２ｃに、排気ファン５ｄは居室２ｄに設けられている。
【００２１】
各排気ファン５ａ〜５ｄは、それぞれ、その排気風量が複数段階で設定可能に構成されている。通常時は、予め設定された排気風量となるように各排気ファン５ａ〜５ｄは制御される。そして、ユーザによる設定や、各種センサーにより取得された値に応じて、排気ファン５ａ〜５ｄ毎に排気風量が制御される。
【００２２】
搬送ファン３ａ〜３ｄは、各居室２ａ〜２ｄに対応して空調室１８に設けられている。空調室１８の空気は、搬送ファン３ａによって居室２ａに搬送され、搬送ファン３ｂによって居室２ｂに搬送され、搬送ファン３ｃによって居室２ｃに搬送され、搬送ファン３ｄによって居室２ｄに搬送される。
【００２３】
循環ファン６ａは居室２ａに、循環ファン６ｂは居室２ｂに、循環ファン６ｃは居室２ｃに、循環ファン６ｄは居室２ｄに設けられている。各居室２ａ〜２ｄの空気の一部は、対応する循環ファン６ａ〜６ｄによって、空調室１８に搬送される。
【００２４】
エアコンディショナー９ａ〜９ｃは、空調機に該当するものであり、第１エアコンディショナー（以下「第１ＡＣ」と称する）９ａと、第２エアコンディショナー（以下「第２ＡＣ」と称する）９ｂと、第３エアコンディショナー（以下「第３ＡＣ」と称する）９ｃとの複数のエアコンディショナーによって空調室１８の空調を制御する。エアコンディショナー９ａ〜９ｃは、汎用品を使用可能である。ここで汎用品とは、本願に係る空調システム専用に開発され、または動作を調整されたものではなく、当該空調システムとは切り離されて単独で販売され、それ自体のみで居室を空調することができるエアコンディショナーである。
【００２５】
第１ＡＣ９ａ、第２ＡＣ９ｂ及び第３ＡＣ９ｃはそれぞれ独立して制御可能であり、動作モードとして冷房モード又は暖房モードが個々に設定される。また、第１ＡＣ９ａ、第２ＡＣ９ｂ及び第３ＡＣ９ｃはそれぞれ、冷房モードに設定される場合に当該冷房モード動作時の冷房設定温度が設定され、暖房モードに設定される場合に当該暖房モード動作時の暖房設定温度が設定される。
【００２６】
動作モードとして冷房モードに設定されたエアコンディショナーは、空調室１８が冷房設定温度となるように空調室１８の空気を冷却する。また、動作モードとして暖房モードに設定されたエアコンディショナーは、空調室１８が暖房設定温度となるように空調室１８の空気を加熱する。
【００２７】
なお、本発明において、１の空調室１８に設けられるエアコンディショナーは複数台であればよく、その数は３台に限定されるものではない。
【００２８】
加湿器１６は、空調室１８の空気の湿度が設定された目標湿度（空調室目標湿度）よりも低い場合にその湿度が空調室目標湿度となるように、空調室１８の空気を加湿する。
【００２９】
除湿器１７は、空調室１８の空気の湿度が設定された目標湿度（空調室目標湿度）より
も高い場合にその湿度が空調室目標湿度となるように、空調室１８の空気を除湿する。
【００３０】
屋外温度センサー７は、一般住宅１の屋外に設けられ、屋外の温度を取得してシステムコントローラ１０に送信するセンサーである。
【００３１】
居室温度センサー１１ａは、居室２ａに設けられ、居室温度センサー１１ｂは、居室２ｂに設けられ、居室温度センサー１１ｃは、居室２ｃに設けられ、居室温度センサー１１ｄは、居室２ｄに設けられている。居室温度センサー１１ａ〜１１ｄは、対応する居室２ａ〜２ｄそれぞれの室内温度を取得して、システムコントローラ１０に送信するセンサーである。
【００３２】
居室湿度センサー１２ａは、居室２ａに設けられ、居室湿度センサー１２ｂは、居室２ｂに設けられ、居室湿度センサー１２ｃは、居室２ｃに設けられ、居室湿度センサー１２ｄは、居室２ｄに設けられている。居室湿度センサー１２ａ〜１２ｄは、対応する居室２ａ〜２ｄそれぞれの室内湿度を取得して、システムコントローラ１０に送信するセンサーである。
【００３３】
空調室温度センサー１４は、空調室１８の空気の温度を取得して、システムコントローラ１０に送信するセンサーである。空調室湿度センサー１５は、空調室１８の空気の湿度を取得して、システムコントローラ１０に送信するセンサーである。
【００３４】
システムコントローラ１０は、換気空調システム２０全体を制御するコントローラである。システムコントローラ１０は、外気導入ファン４、排気ファン５ａ〜５ｄ、搬送ファン３ａ〜３ｄ、循環ファン６ａ〜６ｄ、屋外温度センサー７、居室温度センサー１１ａ〜１１ｄ、居室湿度センサー１２ａ〜１２ｄ、空調室温度センサー１４、空調室湿度センサー１５、第１ＡＣ９ａ、第２ＡＣ９ｂ、第３ＡＣ９ｃ、加湿器１６及び除湿器１７と、無線通信により通信可能に接続されている。
【００３５】
システムコントローラ１０は、排気ファン５ａ〜５ｄの排気風量に応じた風量となるように、外気導入ファン４の給気風量を設定する等、外気導入ファン４と排気ファン５ａ〜５ｄとを連動させて制御する。これにより、一般住宅１に対して第１種換気方式による換気が行われる。
【００３６】
また、システムコントローラ１０は、居室２ａ〜２ｄそれぞれの目標温度である個別目標温度と、屋外温度センサー７が取得した屋外温度とに基づいて、各々の独立した第１ＡＣ９ａ、第２ＡＣ９ｂ、第３ＡＣ９ｃそれぞれに対して、動作モードとして冷房モード又は暖房モードを設定し、あわせて冷房設定温度又は暖房設定温度を設定する。これにより、第１ＡＣ９ａ、第２ＡＣ９ｂ、第３ＡＣ９ｃそれぞれの動作によって、空調室１８の空気の温度が冷房設定温度及び／又は暖房設定温度に応じた温度となるように制御される。
【００３７】
システムコントローラ１０は、また、空調室湿度センサー１５により取得される空調室１８の空気の湿度に基づいて、空調室１８の湿度が、空調室１８に設定された空調室目標湿度となるように、加湿器１６、除湿器１７を制御する。
【００３８】
さらにシステムコントローラ１０は、居室温度センサー１１ａ〜１１ｄ及び居室湿度センサー１２ａ〜１２ｄにより取得された各居室２ａ〜２ｄそれぞれの室内温度及び／又は室内湿度と、居室２ａ〜２ｄ毎に設定された目標温度（個別目標温度）及び／又は目標湿度（個別目標湿度）と、空調室温度センサー１４及び空調室湿度センサー１５が取得した空調室１８の空気の温度及び／又は湿度等に応じて、搬送ファン３ａ〜３ｄの風量や循環ファン６ａ〜６ｄの風量を設定する。
【００３９】
これにより、空調室１８にて空調された空気が、各搬送ファン３ａ〜３ｄに設定された風量で各居室２ａ〜２ｄに搬送され、また、各居室２ａ〜２ｄの空気が、各循環ファン６ａ〜６ｄに設定された風量で空調室１８に搬送される。よって、各居室２ａ〜２ｄの室内温度及び／又は室内湿度が、個別目標温度及び／又は個別目標湿度となるように制御される。
【００４０】
ここで、システムコントローラ１０と、外気導入ファン４、排気ファン５ａ〜５ｄ、搬送ファン３ａ〜３ｄ、循環ファン６ａ〜６ｄ、屋外温度センサー７、居室温度センサー１１ａ〜１１ｄ、居室湿度センサー１２ａ〜１２ｄ、空調室温度センサー１４、空調室湿度センサー１５、第１ＡＣ９ａ、第２ＡＣ９ｂ、第３ＡＣ９ｃ、加湿器１６及び除湿器１７とが、無線通信で接続されることにより、複雑な配線工事を不要とすることができる。ただし、これら全体を、又は、システムコントローラ１０とこれらの一部を、有線通信により通信可能に構成してもよい。
【００４１】
入出力端末１９は、システムコントローラ１０と無線通信により通信可能に接続され、換気空調システム２０を構築するうえで必要な情報の入力を受け付けてシステムコントローラ１０に記憶させたり、換気空調システム２０の状態をシステムコントローラ１０から取得して表示したりするものである。
【００４２】
居室２ａ〜２ｄそれぞれの目標温度である個別目標温度は、この入出力端末１９から入力される。この入出力端末１９が目標温度入力受付部及び目標湿度入力受付部に該当する。入出力端末１９は、携帯電話、スマートフォン、タブレットといった携帯情報端末が例として挙げられる。
【００４３】
なお、入出力端末１９は、必ずしも無線通信によりシステムコントローラ１０と接続される必要はなく、有線通信により通信可能にシステムコントローラ１０と接続されてもよい。この場合、入出力端末１９は、例えば、壁掛のリモートコントローラにより実現されるものであってもよい。
【００４４】
また、入出力端末１９は、独立した複数の端末により構成されてもよく、各々の端末で入力又は出力可能な情報が異なるように構成されてもよい。例えば、居室２ａ〜２ｄそれぞれに壁掛のリモートコントローラを設け、各リモートコントローラで対応する居室の目標温度（個別目標温度）が設定されるようにしてもよい。
【００４５】
次いで、図２を参照して、システムコントローラ１０の各機能について説明する。図２は、システムコントローラ１０の概略機能ブロック図である。
【００４６】
システムコントローラ１０は、送風量決定部３１、モード設定部３２、ファン風量制御部３３を少なくとも有している。
【００４７】
送風量決定部３１は、空調室１８に設けられた個々の搬送ファン３ａ〜３ｄの送風量を決定する。送風量決定部３１には、入出力端末１９から取得した複数の居室２ａ〜２ｄそれぞれの個別目標温度が入力される。また、送風量決定部３１には、居室温度センサー１１ａ〜１１ｄが取得した複数の居室２ａ〜２ｄの温度が入力される。また、送風量決定部３１には、空調室温度センサー１４が取得した空調室１８の温度が入力される。
【００４８】
そして、送風量決定部３１は、各居室２ａ〜２ｄの温度がそれぞれに設定された個別目標温度となるように、その時の対応する居室の温度と空調室１８の温度とに基づいて、各居室２ａ〜２ｄに対応する搬送ファン３ａ〜３ｄの送風量を個々に決定する。送風量決定
部３１の詳細については、図５を参照して後述する。
【００４９】
モード設定部３２は、空調室１８に設けられた複数の独立した第１ＡＣ９ａ、第２ＡＣ９ｂ、第３ＡＣ９ｃそれぞれに対して、冷房モードと当該冷房モード動作時の冷房設定温度または暖房モードと当該暖房モード動作時の暖房設定温度を設定する。モード設定部３２には、入出力端末１９から取得した複数の居室２ａ〜２ｄそれぞれの個別目標温度と、屋外温度センサー７が取得した一般住宅１外の屋外温度が入力される。
【００５０】
モード設定部３２は、これら入力された個別目標温度と屋外温度とに基づいて、第１ＡＣ９ａ、第２ＡＣ９ｂ、第３ＡＣ９ｃそれぞれに動作モードと設定温度とを設定する。モード設定部３２の詳細については、図３及び図４を参照して後述する。
【００５１】
ファン風量制御部３３は、各搬送ファン３ａ〜３ｄによる送風を制御する。具体的には、ファン風量制御部３３は、空調室１８の空気を、送風量決定部３１により決定された搬送ファン３ａ〜３ｄそれぞれの送風量で各居室２ａ〜２ｄに独立して送風する制御を行う。これにより、モード設定部３２による設定に基づき第１ＡＣ９ａ、第２ＡＣ９ｂ、第３ＡＣ９ｃによって空調された空調室１８の空気が、各居室２ａ〜２ｄに応じて決定された送風量で、それぞれの居室２ａ〜２ｄに送風される。よって、換気空調システム２０は、各居室２ａ〜２ｄの室内温度がそれぞれに設定された個別目標温度となるように制御される。
【００５２】
次いで、図３及び図４を参照して、システムコントローラ１０により実行されるモード設定処理について説明する。まず、図３は、そのモード設定処理を示すフローチャートである。
【００５３】
このモード設定処理は、所定時間（例えば１時間）毎にシステムコントローラ１０によって実行される。加えて、ユーザにより入出力端末１９から居室２ａ〜２ｄのいずれかの個別目標温度が変更された場合にもモード設定処理が実行されるようにしてもよい。
【００５４】
システムコントローラ１０は、モード設定処理を実行することによりモード設定部３２（図２参照）を構成する。
【００５５】
システムコントローラ１０は、モード設定処理を実行すると、まず、居室２ａ〜２ｄに対して設定可能な個別目標温度の範囲の最大値及び最小値である最高設定温度ＣＲｍａｘ及び最低設定温度ＣＲｍｉｎを取得する（Ｓ１１）。この最高設定温度ＣＲｍａｘ及び最低設定温度ＣＲｍｉｎは、予めシステムコントローラ１０に設けられた記憶部に記憶されたものであってもよいし、入出力端末１９の記憶部に記憶されたものであってもよい。
【００５６】
次いで、システムコントローラ１０は、居室２ａ〜２ｄそれぞれに設定された個別目標温度を、目標温度入力受付部を構成する入出力端末１９から取得する（Ｓ１２）。次いで、システムコントローラ１０は、屋外温度センサー７が取得した現在の屋外温度Ｔｏｕｔを取得する（Ｓ１３）。
【００５７】
次に、システムコントローラ１０は、Ｓ１２の処理により取得した居室２ａ〜２ｄそれぞれの個別目標温度の最大値である最高目標温度Ｔｍａｘと、その個別目標温度の最小値である最低目標温度Ｔｍｉｎを算出する（Ｓ１４）。
【００５８】
そして、システムコントローラ１０は、モード確定処理を実行する（Ｓ１５）。このモード確定処理では、Ｓ１１の処理により取得した最高設定温度ＣＲｍａｘ及び最低設定温度ＣＲｍｉｎと、Ｓ１３の処理により取得した屋外温度Ｔｏｕｔと、Ｓ１４の処理により
算出した最高目標温度Ｔｍａｘ及び最低目標温度Ｔｍｉｎとの関係から、空調室１８の第１ＡＣ９ａ、第２ＡＣ９ｂ、第３ＡＣ９ｃそれぞれに対して、動作モードと設定温度を設定する。モード確定処理の詳細については、図４を参照して後述する。
【００５９】
システムコントローラ１０は、Ｓ１５のモード確定処理を実行した後、第１ＡＣ９ａ、第２ＡＣ９ｂ、第３ＡＣ９ｃに対して、それぞれに設定された動作モードと設定温度を送信し（Ｓ１６）、モード設定処理を終了する。これにより、第１ＡＣ９ａ、第２ＡＣ９ｂ、第３ＡＣ９ｃは、それぞれ、最高設定温度ＣＲｍａｘ及び最低設定温度ＣＲｍｉｎと、現在の屋外温度Ｔｏｕｔと、各居室２ａ〜２ｄに設定された個別目標温度の最高目標温度Ｔｍａｘ及び最低目標温度Ｔｍｉｎとに応じて設定された動作モード及び設定温度で、空調室１８の空調を行うことになる。
【００６０】
ここで、図４を参照して、システムコントローラ１０がモード設定処理の中で実行するモード確定処理（Ｓ１５）の詳細について説明する。図４は、そのモード確定処理を示すフローチャートである。
【００６１】
システムコントローラ１０がモード設定処理を実行すると、まず、現在の屋外温度Ｔｏｕｔが、最高目標温度Ｔｍａｘにα度（αは０以上の実数）を加算した第１閾値であるＴｍａｘ＋αより低く、最低目標温度Ｔｍｉｎにβ度（βは０以上の実数）を減算した第２閾値であるＴｍｉｎ−βより高いかを判定する（Ｓ２１）。パラメータαとβは、システムコントローラ１０に予め記憶された値であってもよいし、入出力端末１９からユーザ又は設置者によって変更可能に構成されてもよい。
【００６２】
なお、Ｓ２１の処理において、現在の屋外温度Ｔｏｕｔが第１閾値Ｔｍａｘ＋αより低いか否かに代えて、現在の屋外温度Ｔｏｕｔが第１閾値Ｔｍａｘ＋α以下か否かを判定してもよい。また、Ｓ２１の処理において、現在の屋外温度Ｔｏｕｔが第２閾値Ｔｍｉｎ−βより高いか否かに代えて、現在の屋外温度Ｔｏｕｔが第２閾値Ｔｍｉｎ−β以上か否かを判定してもよい。
【００６３】
現在の屋外温度Ｔｏｕｔが、最高目標温度Ｔｍａｘ及び最低目標温度Ｔｍｉｎのいずれかと略同一か、最高目標温度Ｔｍａｘ及び最低目標温度Ｔｍｉｎの範囲内にある場合、各居室２ａ〜２ｄを冷房する冷房期でも各居室２ａ〜２ｄを暖房する暖房期でもない中間期であると考えられる。
【００６４】
そこで、Ｓ２１の処理の結果、現在の屋外温度Ｔｏｕｔが、第１閾値より低く第２閾値より高いと判定された場合に（Ｓ２１：Ｙｅｓ）、システムコントローラ１０は中間期と判断して、空調室１８に対して中間期に適した空調を行うように、Ｓ２２及びＳ２３の処理を実行する。
【００６５】
具体的には、Ｓ２２の処理において、システムコントローラ１０は、第１ＡＣ９ａ及び第２ＡＣ９ｂの動作モードを冷房モードに設定する。また、同処理において、システムコントローラ１０は、当該冷房モード動作時の冷房設定温度として、最高目標温度Ｔｍａｘに対してψ度（ψは０以上の実数）を加算した温度に設定する。
【００６６】
また、続くＳ２３の処理において、システムコントローラ１０は、第３ＡＣ９ｃの動作モードを暖房モードに設定する。また、同処理において、システムコントローラ１０は、当該暖房モード動作時の暖房設定温度として、最低目標温度Ｔｍｉｎに対してω度（ωは０以上の実数）を減算した温度に設定する。
【００６７】
なお、パラメータψ及びωは、システムコントローラ１０に予め記憶された値であって
もよいし、入出力端末１９からユーザ又は設置者によって変更可能に構成されてもよい。
【００６８】
また、モード確定処理は、モードの判定、つまり冷房期、暖房期、中間期の判定を、例えば一日を通して外気温が一番高くなる時間前後に行うのが望ましい。外気温が一番高くなる時間は、北半球では例えば太陽が地平線よりも最も離れる南中時刻から約２〜３時間程度経過した時刻とされている。なお、南半球では正確には北中時刻であるが、これも南中時刻と表現するものとする。気象状況による影響を踏まえると、モード確定処理は、南中時刻の前後４時間程度の範囲内で行うのが好ましい。これにより、例えば日本等の場合、朝の外気温が１２度程度であり、昼の外気温が２４度程度となる中間期において、朝にモード確定処理が行われて暖房期と判定されることを防止することができる。なお、この場合、対象時間外であれば図３において、モード設定処理中におけるモード確定処理はキャンセルされることとなる。
【００６９】
Ｓ２３の処理の後、システムコントローラ１０は、モード確定処理を終了してモード設定処理に戻る。
【００７０】
このＳ２２及びＳ２３の処理により、中間期において、空調室１８の温度が冷房設定温度Ｔｍａｘ＋ψよりも高ければ、第１ＡＣ９ａ及び第２ＡＣ９ｂによって空調室１８の温度が冷房設定温度Ｔｍａｘ＋ψ以下となるように冷却される。また、空調室１８の温度が暖房設定温度Ｔｍｉｎ−ωよりも低ければ、第３ＡＣ９ｃによって空調室１８の温度が暖房設定温度Ｔｍｉｎ−ω以上となるように加熱される。
【００７１】
よって、空調室１８の温度が暖房設定温度Ｔｍｉｎ−ωから冷房設定温度Ｔｍａｘ＋ψの間に保たれ、これにより、換気空調システム２０は、中間期において、各居室２ａ〜２ｄの温度を、少なくとも暖房設定温度Ｔｍｉｎ−ωと冷房設定温度Ｔｍａｘ＋ψとの範囲内にすることができる。よって、換気空調システム２０の動作が予測可能となり、安定した制御を行うことが可能となる。
【００７２】
また、屋外温度Ｔｏｕｔが暖房設定温度Ｔｍｉｎ−ωと冷房設定温度Ｔｍａｘ＋ψとの範囲内にある場合、システムコントローラ１０は、排気ファン５ａ〜５ｄから排気を行いつつ外気導入ファン４より外気を導入する全換気とすることで、空調室１８の温度を屋外温度Ｔｏｕｔとすることができる。
【００７３】
つまり、屋外温度Ｔｏｕｔが最高目標温度Ｔｍａｘよりも高く、又は最低目標温度Ｔｍｉｎよりも低い場合に大量の換気を行うと、エアコンディショナーの負荷が高まり、省エネルギーとはならない。これに対して、屋外温度Ｔｏｕｔが最低目標温度Ｔｍｉｎから最高目標温度Ｔｍａｘの範囲内である場合、全換気としても各エアコンディショナーには負荷が掛からないため、換気と温度制御とが省エネルギーで両立できる。
【００７４】
このため、モード設定部３２は、中間期と判定された場合であって屋外温度Ｔｏｕｔが最低目標温度Ｔｍｉｎから最高目標温度Ｔｍａｘの範囲内である場合には、屋外温度Ｔｏｕｔが最高目標温度Ｔｍａｘよりも高く又は最低目標温度Ｔｍｉｎよりも低い場合よりも外気導入ファン４による空調室１８への外気導入量を増加させるのが好ましい。
【００７５】
これにより、換気空調システム２０は、各居室２ａ〜２ｄの温度を暖房設定温度Ｔｍｉｎ−ωと冷房設定温度Ｔｍａｘ＋ψとの範囲内にある屋外温度Ｔｏｕｔとすることができる。そしてこの場合、第１ＡＣ９ａ、第２ＡＣ９ｂ、第３ＡＣ９ｃをいずれも停止状態とすることができるので、各エアコンディショナー９ａ〜９ｃにおける負荷が減り、省エネルギー化やエアコンディショナー９ａ〜９ｃの長寿命化を図ることができる。
【００７６】
なお、Ｓ２２及びＳ２３の処理では、中間期において、第１ＡＣ９ａ及び第２ＡＣ９ｂに対して冷房モードと当該冷房モード動作時の冷房設定温度を設定し、第３ＡＣ９ｃに対して暖房モードと当該暖房モード動作時の暖房設定温度を設定する場合について説明した。しかしながら、複数台のエアコンディショナー９ａ〜９ｃのうち、少なくとも１台に冷房モードと当該冷房モード動作時の冷房設定温度を設定し、他の少なくとも１台に暖房モードと当該暖房モード動作時の暖房設定温度を設定すれば、本第１実施形態度と同様の作用効果を得ることができる。
【００７７】
ここで、Ｓ２２及びＳ２３の処理によって各エアコンディショナー９ａ〜９ｃの動作モードと設定温度を設定した場合、空調室１８の温度は、暖房設定温度Ｔｍｉｎ−ωと冷房設定温度Ｔｍａｘ＋ψとの範囲内の所定の温度となる。よって、この場合、換気空調システム２０は、各居室２ａ〜２ｄそれぞれに対して、その居室の温度が、広い温度範囲で設定可能な個別目標温度となるように制御することが難しい。そこで、換気空調システム２０は、搬送ファン３ａ〜３ｄの風量を制御し、体感温度を変化させている。その詳細については、図５を参照して後述する送風量決定処理にて説明する。
【００７８】
一方、Ｓ２１の処理の結果、現在の屋外温度Ｔｏｕｔが第１閾値以上又は第２閾値以下であると判定された場合に（Ｓ２１：Ｎｏ）、システムコントローラ１０は、Ｓ２４の処理を実行し、モード確定処理を終了してモード設定処理に戻る。
【００７９】
Ｓ２４の処理において、システムコントローラ１０は、屋外温度Ｔｏｕｔ、最高設定温度ＣＲｍａｘ、最高目標温度Ｔｍａｘ、最低目標温度Ｔｍｉｎ、最低設定温度ＣＲｍｉｎの関係に基づいて、第１ＡＣ９ａ、第２ＡＣ９ｂ、第３ＡＣ９ｃそれぞれの動作モードと設定温度を設定する。これにより、換気空調システム２０は、各エアコンディショナー９ａ〜９ｃの自動運転を用いずに空調室１８の空調を安定して制御できる。よって、安定した制御を行うことが可能な換気空調システム２０を提供できる。
【００８０】
次いで、図５を参照して、システムコントローラ１０により実行される送風量決定処理について説明する。図５は、その送風量決定処理を示すフローチャートである。
【００８１】
この送風量決定処理は、第２の所定時間（例えば１０分）毎にシステムコントローラ１０によって実行される。システムコントローラ１０は、送風量決定処理を実行することにより送風量決定部３１（図２参照）を構成する。
【００８２】
システムコントローラ１０が送風量決定処理を実行すると、まず、モード確定処理（図４参照）のＳ２１の処理によって中間期と判断されたかを判定する（Ｓ３１）。その結果、中間期と判断された場合には（Ｓ３１：Ｙｅｓ）、次いで、システムコントローラ１０は、居室２ａ〜２ｄのうち１の居室に設定された個別目標温度が、空調室１８の温度（空調室温度）からγ度（γは０以上の実数）減算した第３閾値より低いかを判定する（Ｓ３２）。パラメータγは、システムコントローラ１０に予め記憶された値であってもよいし、入出力端末１９からユーザ又は設置者によって変更可能に構成されてもよい。
【００８３】
なお、Ｓ３２の処理において、個別目標温度が第３閾値より低いかを判定するのに代えて、個別目標温度が第３閾値以下であるかを判定してもよい。
【００８４】
Ｓ３２の処理の結果、１の居室に設定された個別目標温度が第３閾値より低いと判定された場合に（Ｓ３２：Ｙｅｓ）、システムコントローラ１０は、搬送ファン３ａ〜３ｄのうち、その１の居室に対応する搬送ファンの送風量を「大」に設定する（Ｓ３３）。
【００８５】
１の居室に設定された個別目標温度が第３閾値より低い場合とは、その個別目標温度が
空調室１８の温度よりも低い場合を示すが、その１の居室の温度は、空調室１８の温度よりも低くすることはできない。しかしながら、Ｓ３３の処理により、その１の居室の搬送ファンの送風量を「大」とすることで、居室内に大きな風の流れが生じ、体感温度を下げることができる。よって、ユーザが所望する温度を体感させることができる。
【００８６】
なお、搬送ファンの送風量を「大」に設定するとは、その搬送ファンにおいて設定可能な複数段階の送風量のうち、その送風量の平均値又は中央値よりも大きい送風量を設定することを意味する。送風量の平均値又は中央値よりも大きい送風量が複数ある場合は、空調室１８の温度と個別目標温度との差が大きいほど、大きい送風量が対応する搬送ファンの送風量として設定されるようにすればよい。
【００８７】
一方、Ｓ３２の処理の結果、１の居室に設定された個別目標温度が第３閾値以上であると判定された場合に（Ｓ３２：Ｎｏ）、次いで、システムコントローラ１０は、その１の居室に設定された個別目標温度が、空調室１８の温度（空調室温度）からδ度（δは０以上の実数）加算した第４閾値より高いかを判定する（Ｓ３４）。パラメータδは、システムコントローラ１０に予め記憶された値であってもよいし、入出力端末１９からユーザ又は設置者によって変更可能に構成されてもよい。
【００８８】
なお、Ｓ３４の処理において、個別目標温度が第４閾値より高いかを判定するのに代えて、個別目標温度が第４閾値以上であるかを判定してもよい。
【００８９】
Ｓ３４の処理の結果、１の居室に設定された個別目標温度が第４閾値より高いと判定された場合に（Ｓ３４：Ｙｅｓ）、システムコントローラ１０は、搬送ファン３ａ〜３ｄのうち、その１の居室に対応する搬送ファンの送風量を「小」に設定する（Ｓ３５）。
【００９０】
１の居室に設定された個別目標温度が第４閾値より高い場合とは、その個別目標温度が空調室１８の温度よりも高い場合を示すが、その１の居室の温度は、空調室１８の温度よりも高くすることはできない。しかしながら、Ｓ３５の処理により、その１の居室の搬送ファンの送風量を「小」とすることで、居室内の風の流れを抑制し、体感温度を上げることができる。よって、ユーザが所望する温度を体感させることができる。
【００９１】
なお、搬送ファンの送風量を「小」に設定するとは、その搬送ファンにおいて設定可能な複数段階の送風量のうち、その送風量の平均値又は中央値よりも小さい送風量を設定することを意味する。送風量の平均値又は中央値よりも小さい送風量が複数ある場合は、空調室１８の温度と個別目標温度との差が大きいほど、小さい送風量が対応する搬送ファンの送風量として設定されるようにすればよい。
【００９２】
一方、Ｓ３４の処理の結果、１の居室に設定された個別目標温度が第４閾値以下であると判定された場合には（Ｓ３４：Ｎｏ）、その１の居室の個別目標温度は空調室温度と略同一である。この場合、換気空調システム２０は、その１の居室の温度を個別目標温度に近づけることができるので、システムコントローラ１０は、搬送ファン３ａ〜３ｄのうち、その１の居室に対応する搬送ファンの送風量を「中」に設定する（Ｓ３６）。これにより、換気空調システム２０は、体感温度が上がったり下がったりすることを抑制し、丁度良い温度を体感させることができる。
【００９３】
なお、搬送ファンの送風量を「中」に設定するとは、その搬送ファンにおいて設定可能な複数段階の送風量のうち、その送風量の平均値に近い送風量又は中央値となる送風量を設定することを意味する。
【００９４】
システムコントローラ１０は、Ｓ３３、Ｓ３５又はＳ３６の処理を実行すると、次いで
、すべての居室２ａ〜２ｄについて対応する搬送ファン３ａ〜３ｄの送風量を設定したかを判定する（Ｓ３７）。その結果、搬送ファン３ａ〜３ｄの送風量が設定されていない居室がある場合は（Ｓ３７：Ｎｏ）、システムコントローラ１０は、Ｓ３２の処理に戻る。そして、システムコントローラ１０は、その搬送ファン３ａ〜３ｄの送風量が設定されていない１の居室について、Ｓ３２〜Ｓ３６の処理を実行する。
【００９５】
一方、Ｓ３７の処理の結果、すべての居室２ａ〜２ｄについて対応する搬送ファン３ａ〜３ｄの送風量を設定したと判定される場合は（Ｓ３７：Ｙｅｓ）、システムコントローラ１０は、送風量決定処理を終了する。
【００９６】
また、Ｓ３１の処理の結果、中間期ではないと判断された場合には（Ｓ３１：Ｎｏ）、居室２ａ〜２ｄそれぞれの個別目標温度と、居室２ａ〜２ｄそれぞれの現在の温度と、空調室１８の温度に基づいて、それぞれの居室２ａ〜２ｄに対応する各搬送ファン３ａ〜３ｄの送風量を設定する（Ｓ３８）。
【００９７】
例えば、１の居室において、その１の居室に設定された個別目標温度よりもその１の居室の現在の温度が高い場合、空調室１８の温度が現在の温度よりも低いことを条件として、対応する搬送ファンの送風量を大きく設定する。また、その送風量は、個別目標温度と居室の現在の温度との差が大きいほど、大きくなるように設定する。一方、この場合、空調室１８の温度が１の居室の現在の温度よりも高ければ、対応する搬送ファンの送風量をゼロに設定し、１の居室の温度がこれ以上高くなることを抑制する。
【００９８】
また、１の居室において、その１の居室に設定された個別目標温度よりもその１の居室の現在の温度が低い場合、空調室１８の温度が現在の温度よりも高いことを条件として、対応する搬送ファンの送風量を大きく設定する。また、その送風量は、個別目標温度と居室の現在の温度との差が大きいほど、大きくなるように設定する。一方、この場合、空調室１８の温度が１の居室の現在の温度よりも低ければ、対応する搬送ファンの送風量をゼロに設定し、１の居室の温度がこれ以上低くなることを抑制する。
【００９９】
Ｓ３８の処理の後、システムコントローラ１０は、送風量決定処理を終了する。
【０１００】
以上、第１実施形態に係る換気空調システム２０では、入出力端末１９から取得した複数の居室２ａ〜２ｄそれぞれの個別目標温度と、屋外温度センサー７が取得した屋外温度とに基づいて、複数の独立したエアコンディショナー９ａ〜９ｃそれぞれに対して冷房モードと当該冷房モード動作時の冷房設定温度または暖房モードと当該暖房モード動作時の暖房設定温度が、モード設定部３２により設定される。
【０１０１】
そして、そのモード設定部３２による設定に基づいて空調された空調室１８の空気が、送風量決定部３１により決定された搬送ファン３ａ〜３ｄの送風量で、ファン風量制御部３３により居室２ａ〜２ｄに独立して送風される。
【０１０２】
これにより、複数のエアコンディショナー９ａ〜９ｃに対して独立して冷房モードと冷房設定温度または暖房モードと暖房設定温度が設定されるので、エアコンディショナー９ａ〜９ｃの自動運転を用いずに空調室１８の空調を安定して制御できる。よって、安定した制御を行うことが可能な換気空調システム２０を提供できる。
【０１０３】
特に、第１実施形態に係る換気空調システム２０では、居室２ａ〜２ｄそれぞれの個別目標温度と屋外温度とに基づいて中間期であると判断した場合に、第１ＡＣ９ａ及び第２ＡＣ９ｂに対して冷房モードに設定し、当該冷房モード動作時の冷房設定温度としてＴｍａｘ＋ψを設定する。また、第３ＡＣ９ｃに対しては暖房モードに設定し、当該暖房モー
ド動作時の暖房設定温度としてＴｍｉｎ−ωを設定する。
【０１０４】
これにより、中間期では、空調室１８の温度が暖房設定温度Ｔｍｉｎ−ωと冷房設定温度Ｔｍａｘ＋ψとの間に保たれるので、換気空調システム２０は、中間期において、各居室２ａ〜２ｄの温度を、少なくとも暖房設定温度Ｔｍｉｎ−ωと冷房設定温度Ｔｍａｘ＋ψとの範囲内にすることができる。よって、換気空調システム２０の動作が予測可能となり、安定した制御を行うことが可能となる。
【０１０５】
また、各エアコンディショナー９ａ〜９ｃの動作モードの設定を行うモード設定処理は、所定時間毎に実行されるものであるので、各エアコンディショナー９ａ〜９ｃに対して冷房モードまたは暖房モードが設定された後は所定時間が経過する間、当該設定した動作モードの変更が行われない。よって、各エアコンディショナー９ａ〜９ｃにおいて、頻繁に動作モードが変更されることを抑制でき、エアコンディショナー９ａ〜９ｃの短寿命化を抑制できる。
【０１０６】
（第２実施形態）
次いで、図６を参照して、本発明の空調システムの他の実施形態である第２実施形態に係る換気空調システム２０について説明する。
【０１０７】
第１実施形態に係る換気空調システム２０では、中間期であると判断した場合に、冷房モードに設定した第１ＡＣ９ａ及び第２ＡＣ９ｂの冷房設定温度を最高目標温度Ｔｍａｘに設定し、暖房モードに設定した第３ＡＣ９ｃの暖房設定温度を最低目標温度Ｔｍｉｎに設定する場合について説明した。
【０１０８】
これに対し、第２実施形態に係る換気空調システム２０は、中間期であると判断した場合に、冷房モードに設定する第１ＡＣ９ａ及び第２ＡＣ９ｂの冷房設定温度と、暖房モードに設定する第３ＡＣ９ｃの暖房設定温度を、各居室２ａ〜２ｄそれぞれに設定された個別目標温度の平均値である平均目標温度Ｔａｖｅに基づいた温度に設定する。
【０１０９】
以下、第２実施形態に係る換気空調システム２０について、第１実施形態に係る換気空調システム２０と相違する点を中心に説明する。第１実施形態に係る換気空調システム２０と同一の構成については、同一の符号を付し、その説明を省略する。
【０１１０】
図６は、第２実施形態に係る換気空調システム２０のシステムコントローラ１０により、モード設定処理（図３参照）のＳ１５の処理として実行されるモード確定処理を示すフローチャートである。
【０１１１】
このモード確率処理が、第１実施形態に係るシステムコントローラ１０により実行されるモード確率処理と相違する点は、Ｓ２１の処理により中間期であると判定された場合に（Ｓ２１：Ｙｅｓ）、Ｓ２２及びＳ２３の処理に代えて、Ｓ４１〜Ｓ４３の処理が実行される点である。
【０１１２】
まずＳ４１の処理において、システムコントローラ１０は、居室２ａ〜２ｄそれぞれに設定された個別目標温度の平均値である平均目標温度Ｔａｖｅを算出する。次に、システムコントローラ１０は、Ｓ４２の処理において、第１ＡＣ９ａ及び第２ＡＣ９ｂの動作モードを冷房モードに設定し、当該冷房モード動作時の冷房設定温度として、平均目標温度Ｔａｖｅに対してε度（εは０以上の実数）を加算した温度に設定する。ただし、冷房設定温度Ｔａｖｅ＋εは、最高目標温度Ｔｍａｘ未満の温度とする。
【０１１３】
また、システムコントローラ１０は、続くＳ４３の処理において、第３ＡＣ９ｃの動作
モードを暖房モードに設定し、当該暖房モード動作時の暖房設定温度として、平均目標温度Ｔａｖｅに対してζ度（ζは０以上の実数）を減算した温度に設定する。ただし、暖房設定温度Ｔａｖｅ−ζは、最低目標温度Ｔｍｉｎより大きい温度とする。システムコントローラ１０は、Ｓ４３の処理の後、モード確定処理を終了してモード設定処理に戻る。
【０１１４】
なお、パラメータε及びζは、システムコントローラ１０に予め記憶された値であってもよいし、入出力端末１９からユーザ又は設置者によって変更可能に構成されてもよい。
【０１１５】
以上の通り、第２実施形態に係る換気空調システム２０では、居室２ａ〜２ｄそれぞれの個別目標温度と屋外温度とに基づいて中間期であると判断した場合に、第１ＡＣ９ａ及び第２ＡＣ９ｂは冷房モードに設定され、当該冷房モード動作時の冷房設定温度としてＴａｖｅ＋εが設定される。また、第３ＡＣ９ｃは暖房モードに設定され、当該暖房モード動作時の暖房設定温度としてＴａｖｅ−ζが設定される。このように、複数のエアコンディショナー９ａ〜９ｃに対して独立して冷房モードと冷房設定温度または暖房モードと暖房設定温度が設定されるので、エアコンディショナー９ａ〜９ｃの自動運転を用いずに空調室１８の空調を安定して制御できる。よって、安定した制御を行うことが可能な換気空調システム２０を提供できる。
【０１１６】
また、各エアコンディショナー９ａ〜９ｃの設定により、空調室１８の温度が冷房設定温度Ｔａｖｅ＋εよりも高ければ、第１ＡＣ９ａ及び第２ＡＣ９ｂによって空調室１８の温度が冷房設定温度Ｔａｖｅ＋ε以下となるように冷却される。また、空調室１８の温度が暖房設定温度Ｔａｖｅ−ζよりも低ければ、第３ＡＣ９ｃによって空調室１８の温度が暖房設定温度Ｔａｖｅ−ζ以上となるように加熱される。
【０１１７】
よって、空調室１８の温度が暖房設定温度Ｔａｖｅ−ζから冷房設定温度Ｔａｖｅ＋εの間に保たれるので、換気空調システム２０は、中間期において各居室２ａ〜２ｄの温度を少なくとも平均目標温度Ｔａｖｅ付近の温度にすることができる。よって、換気空調システム２０の動作が予測可能となり、安定した制御を行うことが可能となる。
【０１１８】
そして、各居室２ａ〜２ｄの温度が、居室２ａ〜２ｄそれぞれに設定された個別目標温度の平均値である平均目標温度Ｔａｖｅ付近となることで、それぞれの居室２ａ〜２ｄにおいて設定された個別目標温度から大きくずれた温度となることを抑制できる。
【０１１９】
また、εとζを０ではなく正の数とすることで、暖房設定温度Ｔａｖｅ−ζと冷房設定温度Ｔａｖｅ＋εとの間に幅を持たせることができる。各エアコンディショナー９ａ〜９ｃが持つ温度センサーには検出誤差がある。これにより、仮に暖房設定温度と冷房設定温度とを同一の温度に設定すると、暖房モードに設定されたエアコンディショナーと冷房モードに設定されたエアコンディショナーとが設定温度に向けて同時に運転し、消費エネルギーが増加するおそれがある。
【０１２０】
これに対し、暖房設定温度Ｔａｖｅ−ζと冷房設定温度Ｔａｖｅ＋εとの間に幅を持たせることで、温度センサーの検出誤差による暖房モードに設定されたエアコンディショナーと冷房モードに設定されたエアコンディショナーとの同時運転が抑制され、省エネルギー化を図ることができる。
【０１２１】
一方パラメータε及びζを０とすることで、換気空調システム２０は、暖房設定温度と冷房設定温度とを同一の平均目標温度Ｔａｖｅとすることができる。これにより、中間期において、各居室２ａ〜２ｄの温度が平均目標温度Ｔａｖｅとなるように照準をあわせることができる。よって、換気空調システム２０は、より安定した制御を行うことが可能となる。
【０１２２】
なお、第２実施形態においても第１実施形態と同様に、複数台のエアコンディショナー９ａ〜９ｃのうち、少なくとも１台に冷房モードと当該冷房モード動作時の冷房設定温度を設定し、他の少なくとも１台に暖房モードと当該暖房モード動作時の暖房設定温度を設定すれば、本第２実施形態度と同様の作用効果を得ることができる。
【０１２３】
その他、第２実施形態に係る換気空調システム２０は、第１実施形態に係る換気空調システム２０と同様の構成によって、同一の効果を奏する。
【０１２４】
（第３実施形態）
次いで、図７及び図８を参照して、本発明の空調システムの他の実施形態である第３実施形態に係る換気空調システム２０について説明する。
【０１２５】
第１及び第２実施形態に係る換気空調システム２０では、中間期であると判断した場合に、冷房モードに設定した第１ＡＣ９ａ及び第２ＡＣ９ｂの冷房設定温度と、暖房モードに設定した第３ＡＣ９ｃの暖房設定温度を、いずれも所定の固定の温度に設定する場合について説明した。
【０１２６】
これに対し、第３実施形態に係る換気空調システム２０は、中間期であると判断した場合に、居室２ａ〜２ｄごとに居室温度センサー１１ａ〜１１ｄが取得した温度と当該居室の個別目標温度との差の絶対値を算出し、最も絶対値の大きな居室の温度を当該居室の目標温度に到達させることのできる温度にエアコンディショナー９ａ〜９ｃの設定温度を設定する。
【０１２７】
また、第３実施形態に係る換気空調システム２０は、中間期において、搬送ファン３ａ〜３ｄのうちその最も絶対値の大きな居室に対応する搬送ファンの送風量を「大」に設定する。また、第３実施形態に係る換気空調システム２０は、中間期において、それ以外の搬送ファンの送風量を、対応する居室の個別目標温度と現在の温度及び空調室１８の温度に基づいて設定する。
【０１２８】
以下、第３実施形態に係る換気空調システム２０について、第１実施形態に係る換気空調システム２０と相違する点を中心に説明する。第１実施形態に係る換気空調システム２０と同一の構成については、同一の符号を付し、その説明を省略する。
【０１２９】
図７は、第３実施形態に係る換気空調システム２０のシステムコントローラ１０により、モード設定処理（図３参照）のＳ１５の処理として実行されるモード確定処理を示すフローチャートである。
【０１３０】
このモード確率処理が、第１実施形態に係るシステムコントローラ１０により実行されるモード確率処理と相違する点は、Ｓ２１の処理により中間期であると判定された場合に（Ｓ２１：Ｙｅｓ）、Ｓ２２及びＳ２３の処理に代えて、Ｓ５１〜Ｓ５６の処理が実行される点である。
【０１３１】
まずＳ５１の処理において、システムコントローラ１０は、第１ＡＣ９ａ及び第２ＡＣ９ｂを冷房モードに設定し、第３ＡＣ９ｃを暖房モードに設定する。
【０１３２】
次いで、システムコントローラ１０は、居室２ａ〜２ｄごとに居室温度センサー１１ａ〜１１ｄが取得した温度と当該居室の個別目標温度との差Ｔｄｉｆの絶対値｜Ｔｄｉｆ｜を算出する（Ｓ５２）。
【０１３３】
そして、システムコントローラ１０は、Ｓ５２の処理により算出された各居室２ａ〜２ｄの温度と個別目標温度との差の絶対値｜Ｔｄｉｆ｜が最大となる居室について、その居室の個別目標温度を目標温度Ｔｃａｌとして取得する（Ｓ５３）。
【０１３４】
次に、システムコントローラ１０は、Ｓ５３の処理により取得された目標温度Ｔｃａｌが、空調室１８の温度よりも高いか否かを判断する（Ｓ５４）。なお、Ｓ５４の処理において、目標温度Ｔｃａｌが、空調室１８の温度以上か否かを判断するようにしてもよい。
【０１３５】
Ｓ５４の処理の結果、目標温度Ｔｃａｌが空調室１８の温度よりも高いと判断される場合（Ｓ５４：Ｙｅｓ）、システムコントローラ１０は、Ｓ５５の処理を実行する。
【０１３６】
Ｓ５５の処理において、システムコントローラ１０は、暖房モードに設定された第３ＡＣ９ｃの暖房設定温度として、目標温度Ｔｃａｌにη度（ηは０以上の実数）を加算した値に設定する。また、Ｓ５５の処理において、システムコントローラ１０は、冷房モードに設定された第１ＡＣ９ａ及び第２ＡＣ９ｂの冷房設定温度として、最高目標温度Ｔｍａｘを設定する。システムコントローラ１０は、Ｓ５５の処理の後、モード確定処理を終了し、モード設定処理に戻る。
【０１３７】
一方、Ｓ５４の処理の結果、目標温度Ｔｃａｌが空調室１８の温度以下と判断される場合（Ｓ５４：Ｎｏ）、システムコントローラ１０は、Ｓ５６の処理を実行する。
【０１３８】
Ｓ５６の処理において、システムコントローラ１０は、冷房モードに設定された第１ＡＣ９ａ及び第２ＡＣ９ｂの冷房設定温度として、目標温度Ｔｃａｌからθ度（θは０以上の実数）を減算した値に設定する。また、Ｓ５６の処理において、システムコントローラ１０は、暖房モードに設定された第３ＡＣ９ｃの暖房設定温度として、最低目標温度Ｔｍｉｎを設定する。システムコントローラ１０は、Ｓ５６の処理の後、モード確定処理を終了し、モード設定処理に戻る。
【０１３９】
このように、中間期において、居室の温度と個別目標温度との差の絶対値｜Ｔｄｉｆ｜が最大となる居室の個別目標温度Ｔｃａｌが、空調室１８の温度よりも高い場合、Ｓ５５の処理によって、暖房モードに設定された第３ＡＣ９ｃの暖房設定温度が、その居室の個別目標温度Ｔｃａｌ以上に設定される。これにより、空調室１８の温度が、その差の絶対値｜Ｔｄｉｆ｜が最大となる居室の個別目標温度Ｔｃａｌ以上となるように第３ＡＣ９ｃによって加熱される。よって、換気空調システム２０は、居室の温度と個別目標温度との差の絶対値｜Ｔｄｉｆ｜が最大となる居室をまず個別目標温度とするように制御できる。
【０１４０】
また、中間期において、居室の温度と個別目標温度との差の絶対値｜Ｔｄｉｆ｜が最大となる居室の個別目標温度Ｔｃａｌが、空調室１８の温度以下である場合、Ｓ５６の処理によって、冷房モードに設定された第１ＡＣ９ａ及び第２ＡＣ９ｂの冷房設定温度が、その居室の個別目標温度Ｔｃａｌ以下に設定される。これにより、空調室１８の温度が、その差の絶対値｜Ｔｄｉｆ｜が最大となる居室の個別目標温度Ｔｃａｌ以下となるように第１ＡＣ９ａ及び第２ＡＣ９ｂによって冷却される。よって、換気空調システム２０は、居室の温度と個別目標温度との差の絶対値｜Ｔｄｉｆ｜が最大となる居室をまず個別目標温度とするように制御できる。
【０１４１】
従って、換気空調システム２０は、中間期において、居室の温度が個別目標温度と最も大きく乖離した居室をまず個別目標温度となるように制御することができる。
【０１４２】
また、このモード確定処理は所定時間毎に実行されるモード設定処理の一処理である。つまり、個別目標温度と大きく乖離していた居室の温度が個別目標温度に近くなると、今
度は残りの居室について、個別目標温度と大きく温度が乖離している居室をその個別目標温度に近づける制御が行われる。よって、換気空調システム２０は、居室の温度が個別目標温度と乖離している居室の順に、その温度を個別目標温度に近づけることができる。
【０１４３】
従って、換気空調システム２０は、温度が個別目標温度と乖離した居室の存在を素早く解消できる。
【０１４４】
なお、Ｓ５５の処理において、第１ＡＣ９ａ及び第２ＡＣ９ｂの冷房設定温度を最高目標温度Ｔｍａｘに設定しているが、この場合、空調室１８の温度を目標温度Ｔｃａｌまで上昇させる場面であるため、実質的に第１ＡＣ９ａ及び第２ＡＣ９ｂは動作しない。そこで、システムコントローラ１０は、Ｓ５５の処理において、第１ＡＣ９ａ及び第２ＡＣ９ｂの冷房設定温度を目標温度Ｔｃａｌ以上に設定してもよい。また、この場合、システムコントローラ１０は、第１ＡＣ９ａ及び第２ＡＣ９ｂの運転そのものをオフに設定するようにしてもよく、また、第１ＡＣ９ａ及び第２ＡＣ９ｂの動作モードを暖房モードに設定して、暖房設定温度を第３ＡＣ９ｃの暖房設定温度と同一の温度Ｔｃａｌ＋ηを設定してもよい。
【０１４５】
同様に、Ｓ５６の処理において、第３ＡＣ９ｃの暖房設定温度を最低目標温度Ｔｍｉｎに設定しているが、この場合、空調室１８の温度を目標温度Ｔｃａｌまで降下させる場面であるため、実質的に第３ＡＣ９ｃは動作しない。そこで、システムコントローラ１０は、Ｓ５６の処理において、第３ＡＣ９ｃの暖房設定温度を目標温度Ｔｃａｌ以下に設定してもよい。また、この場合、システムコントローラ１０は、第３ＡＣ９ｃの運転そのものをオフに設定するようにしてもよく、また、第３ＡＣ９ｃの動作モードを冷房モードに設定して、冷房設定温度を第１ＡＣ９ａ及び第２ＡＣ９ｂの冷房設定温度と同一の温度Ｔｃａｌ−θを設定してもよい。
【０１４６】
また、第３実施形態においても第１及び第２実施形態と同様に、複数台のエアコンディショナー９ａ〜９ｃのうち、少なくとも１台に冷房モードと当該冷房モード動作時の冷房設定温度を設定し、他の少なくとも１台に暖房モードと当該暖房モード動作時の暖房設定温度を設定すれば、本第３実施形態度と同様の作用効果を得ることができる。
【０１４７】
次いで、図８を参照して、第３実施形態に係る換気空調システム２０のシステムコントローラ１０により実行される送風量決定処理について説明する。図８は、その送風量決定処理を示すフローチャートである。
【０１４８】
このモード確率処理が、第１実施形態に係るシステムコントローラ１０により実行される送風量決定処理と相違する点は、Ｓ３１の処理により中間期であると判定された場合に（Ｓ３１：Ｙｅｓ）、Ｓ３２〜Ｓ３７の処理に代えて、Ｓ６１及びＳ６２の処理が実行される点である。
【０１４９】
まずＳ６１の処理において、システムコントローラ１０は、搬送ファン３ａ〜３ｄのうち、モード確定処理のＳ５３の処理にて判断された、居室の温度と個別目標温度との差の絶対値｜Ｔｄｉｆ｜が最大となる居室に対応する搬送ファンの送風量を最大に設定する。ここで、搬送ファンの送風量を最大に設定するとは、その搬送ファンにおいて設定可能な複数段階の送風量のうち、最大の送風量を設定することを意味する。
【０１５０】
上述した通り、システムコントローラ１０は、中間期において、居室の温度と個別目標温度との差の絶対値｜Ｔｄｉｆ｜が最大となる居室をまず個別目標温度とするように空調室１８の空調を制御している。加えて、システムコントローラ１０は、この送風量決定処理によって、居室の温度と個別目標温度との差の絶対値｜Ｔｄｉｆ｜が最大となる居室に
対応する搬送ファンの送風量を最大に設定している。よって、換気空調システム２０は、中間期において、居室の温度が個別目標温度と最も大きく乖離した居室をより早く個別目標温度となるように制御できる。
【０１５１】
続くＳ６２の処理において、システムコントローラ１０は、その他の居室に対応する搬送ファンの送風量を、Ｓ３８と同様に、居室２ａ〜２ｄそれぞれの個別目標温度と、居室２ａ〜２ｄそれぞれの現在の温度と、空調室１８の温度に基づいて設定する。これにより、他の居室については、適切に空調室１８の空気を送風でき、居室の温度と個別目標温度との差の絶対値｜Ｔｄｉｆ｜が最大となる居室に合わせて制御される空調室１８の空気により、かえって居室の温度が個別目標温度から乖離することを抑制できる。
【０１５２】
以上、第３実施形態に係る換気空調システム２０では、中間期であると判断した場合に、居室の温度と当該居室の個別目標温度との差の絶対値｜Ｔｄｉｆ｜が最大となる居室に対して、当該居室の目標温度に到達させることのできる温度にエアコンディショナー９ａ〜９ｃの設定温度が設定される。これにより、換気空調システム２０は、中間期において、温度が個別目標温度と乖離した居室の存在を素早く解消できる。
【０１５３】
その他、第３実施形態に係る換気空調システム２０は、第１及び第２実施形態に係る換気空調システム２０と同様の構成によって、同一の効果を奏する。
【０１５４】
（第４実施形態）
次いで、図９を参照して、本発明の空調システムの他の実施形態である第４実施形態に係る換気空調システム２０について説明する。
【０１５５】
第１〜第３実施形態に係る換気空調システム２０では、中間期であると判断した場合の各エアコンディショナー９ａ〜９ｃの動作モードと設定温度の設定について説明した。これに対し、第４実施形態に係る換気空調システム２０は、冷房期であると判断した場合における各エアコンディショナー９ａ〜９ｃの動作モードと設定温度の設定の一実施形態を示す。
【０１５６】
以下、第４実施形態に係る換気空調システム２０について、第１実施形態に係る換気空調システム２０と相違する点を中心に説明する。第１実施形態に係る換気空調システム２０と同一の構成については、同一の符号を付し、その説明を省略する。
【０１５７】
図９は、第３実施形態に係る換気空調システム２０のシステムコントローラ１０により、モード設定処理（図３参照）のＳ１５の処理として実行されるモード確定処理を示すフローチャートである。
【０１５８】
システムコントローラ１０は、このモード確定処理を実行すると、まず、現在の屋外温度Ｔｏｕｔが、最高目標温度Ｔｍａｘにα度（αは０以上の実数）を加算した第１閾値であるＴｍａｘ＋αより高いかを判定する（Ｓ７１）。パラメータαは、システムコントローラ１０に予め記憶された値であってもよいし、入出力端末１９からユーザ又は設置者によって変更可能に構成されてもよい。
【０１５９】
なお、Ｓ７１の処理において、現在の屋外温度Ｔｏｕｔが第１閾値Ｔｍａｘ＋αより高いかの判定に代えて、現在の屋外温度Ｔｏｕｔが第１閾値Ｔｍａｘ＋α以上かを判定してもよい。
【０１６０】
現在の屋外温度Ｔｏｕｔが、最高目標温度Ｔｍａｘ以上の第１閾値よりも高い場合、各居室２ａ〜２ｄを冷房する冷房期であると考えられる。そこで、Ｓ７１の処理の結果、現
在の屋外温度Ｔｏｕｔが、第１閾値より高いと判定された場合に（Ｓ７１：Ｙｅｓ）、システムコントローラ１０は冷房期であると判断して、空調室１８に対して冷房期に適した空調を行うように、Ｓ７２の処理を実行する。
【０１６１】
具体的には、Ｓ７２の処理において、システムコントローラ１０は、第１ＡＣ９ａ、第２ＡＣ９ｂ、第３ＡＣ９ｃのすべてにおいて、その動作モードを冷房モードに設定する。また、同処理において、システムコントローラ１０は、これらのエアコンディショナー９ａ〜９ｃに対し、当該冷房モード動作時の冷房設定温度として最低目標温度Ｔｍｉｎからι度（ιは０以上の実数）を減算した温度に設定する。なお、パラメータιは、システムコントローラ１０に予め記憶された値であってもよいし、入出力端末１９からユーザ又は設置者によって変更可能に構成されてもよい。
【０１６２】
これにより、換気空調システム２０は、冷房期である場合に、全てのエアコンディショナー９ａ〜９ｃの運転によって、空調室１８の温度が居室２ａ〜２ｄそれぞれに設定された個別目標温度の最低目標温度Ｔｍｉｎ以下となるように制御される。よって、換気空調システム２０は、各居室２ａ〜２ｄをそれぞれ個別目標温度に確実に近づけることができる。そして、換気空調システム２０は、この制御を、各エアコンディショナー９ａ〜９ｃの自動運転を用いずに空調室１８の空調を安定して制御できる。また、この場合、空調室１８に設けられた複数のエアコンディショナー９ａ〜９ｃを全て同じ動作モードと設定温度に設定されるので、そのうちの１台が故障しても、空調室１８の空調を継続して行うことができる。よって、安定した制御を行うことが可能な換気空調システム２０を提供できる。
【０１６３】
一方、Ｓ７１の処理の結果、現在の屋外温度Ｔｏｕｔが第１閾値以下であると判定された場合に（Ｓ７１：Ｎｏ）、システムコントローラ１０は、第１実施形態に係るシステムコントローラ１０にて実行されるモード確定処理（図４参照）のＳ２４と同一の処理を実行する。これにより、換気空調システム２０は、各エアコンディショナー９ａ〜９ｃの自動運転を用いずに空調室１８の空調を安定して制御できる。よって、安定した制御を行うことが可能な換気空調システム２０を提供できる。
【０１６４】
以上、第４実施形態に係る換気空調システム２０では、冷房期であると判断した場合に空調室１８に設けられたすべてのエアコンディショナー９ａ〜９ｃに対して冷房モードを設定し、また冷房設定温度として最低目標温度Ｔｍｉｎ以下を設定するので、安定して各居室２ａ〜２ｄの温度を制御できる。
【０１６５】
（第５実施形態）
次いで、図１０を参照して、本発明の空調システムの他の実施形態である第５実施形態に係る換気空調システム２０について説明する。この第５実施形態に係る換気空調システム２０は、暖房期であると判断した場合における各エアコンディショナー９ａ〜９ｃの動作モードと設定温度の設定の一実施形態を示す。
【０１６６】
以下、第５実施形態に係る換気空調システム２０について、第１実施形態に係る換気空調システム２０と相違する点を中心に説明する。第１実施形態に係る換気空調システム２０と同一の構成については、同一の符号を付し、その説明を省略する。
【０１６７】
図１０は、第５実施形態に係る換気空調システム２０のシステムコントローラ１０により、モード設定処理（図３参照）のＳ１５の処理として実行されるモード確定処理を示すフローチャートである。
【０１６８】
システムコントローラ１０は、このモード確定処理を実行すると、まず、現在の屋外温
度Ｔｏｕｔが、最低目標温度Ｔｍｉｎからβ度（βは０以上の実数）を減算した第２閾値であるＴｍｉｎ−βより低いかを判定する（Ｓ８１）。パラメータβは、システムコントローラ１０に予め記憶された値であってもよいし、入出力端末１９からユーザ又は設置者によって変更可能に構成されてもよい。
【０１６９】
なお、Ｓ８１の処理において、現在の屋外温度Ｔｏｕｔが第２閾値Ｔｍｉｎ−βより低いかの判定に代えて、現在の屋外温度Ｔｏｕｔが第２閾値Ｔｍｉｎ−β以下かを判定してもよい。
【０１７０】
現在の屋外温度Ｔｏｕｔが、最低目標温度Ｔｍｉｎ以下の第２閾値よりも低い場合、各居室２ａ〜２ｄを暖房する暖房期であると考えられる。そこで、Ｓ８１の処理の結果、現在の屋外温度Ｔｏｕｔが、第２閾値より低いと判定された場合に（Ｓ８１：Ｙｅｓ）、システムコントローラ１０は暖房期であると判断して、空調室１８に対して暖房期に適した空調を行うように、Ｓ８２の処理を実行する。
【０１７１】
具体的には、Ｓ８２の処理において、システムコントローラ１０は、第１ＡＣ９ａ、第２ＡＣ９ｂ、第３ＡＣ９ｃのすべてにおいて、その動作モードを暖房モードに設定する。また、同処理において、システムコントローラ１０は、これらのエアコンディショナー９ａ〜９ｃに対し、当該暖房モード動作時の暖房設定温度として最高目標温度Ｔｍａｘに対しκ度（κは０以上の実数）を加算した温度に設定する。なお、パラメータκは、システムコントローラ１０に予め記憶された値であってもよいし、入出力端末１９からユーザ又は設置者によって変更可能に構成されてもよい。
【０１７２】
これにより、換気空調システム２０は、暖房期である場合に、全てのエアコンディショナー９ａ〜９ｃの運転によって、空調室１８の温度が居室２ａ〜２ｄそれぞれに設定された個別目標温度の最高目標温度Ｔｍａｘ以下となるように制御される。よって、換気空調システム２０は、各居室２ａ〜２ｄをそれぞれ個別目標温度に確実に近づけることができる。そして、換気空調システム２０は、この制御を、各エアコンディショナー９ａ〜９ｃの自動運転を用いずに空調室１８の空調を安定して制御できる。また、この場合、空調室１８に設けられた複数のエアコンディショナー９ａ〜９ｃを全て同じ動作モードと設定温度に設定されるので、そのうちの１台が故障しても、空調室１８の空調を継続して行うことができる。よって、安定した制御を行うことが可能な換気空調システム２０を提供できる。
【０１７３】
一方、Ｓ８１の処理の結果、現在の屋外温度Ｔｏｕｔが第２閾値以上であると判定された場合に（Ｓ８１：Ｎｏ）、システムコントローラ１０は、第１実施形態に係るシステムコントローラ１０にて実行されるモード確定処理（図４参照）のＳ２４と同一の処理を実行する。これにより、換気空調システム２０は、各エアコンディショナー９ａ〜９ｃの自動運転を用いずに空調室１８の空調を安定して制御できる。よって、安定した制御を行うことが可能な換気空調システム２０を提供できる。
【０１７４】
以上、第５実施形態に係る換気空調システム２０では、暖房期であると判断した場合に空調室１８に設けられたすべてのエアコンディショナー９ａ〜９ｃに対して暖房モードを設定し、また暖房設定温度として最高目標温度Ｔｍａｘ以下を設定するので、安定して各居室２ａ〜２ｄの温度を制御できる。
【０１７５】
（第６実施形態）
次いで、図１１を参照して、本発明の空調システムの他の実施形態である第６実施形態に係る換気空調システム２０について説明する。この第６実施形態に係る換気空調システム２０は、各エアコンディショナー９ａ〜９ｃの動作モードと設定温度の設定の一実施形
態を示す。
【０１７６】
通常、エアコンディショナー９ａ〜９ｃは、冷房モードでの動作時には除湿機能を有する。そして、例えば夏季であれば、エアコンディショナー９ａ〜９ｃは冷房モードで動作するため、結果として空調室は除湿され、適正な湿度に保たれる。しかしながら例えば日本において中間期に該当する５月〜６月頃は、気温は２０度〜２６度程度ではあるが、雨期に該当するため湿度は７５％程度にまで上昇してしまう。つまり、温度は快適な範囲であるが、湿度によって快適性が損なわれることになる。
【０１７７】
そこで本実施の形態においては、複数のエアコンディショナー９ａ〜９ｃを用いた除湿処理について説明する。
【０１７８】
本実施の形態における構成は、実施の形態１の構成と同様であるが、さらに送風量決定部３１には、空調室湿度センサー１５が接続され、送風量決定部３１は空調室の湿度を取得可能である。つまり図２に示した構成に加えて、送風量決定部３１には、空調室湿度センサー１５が接続されている。
【０１７９】
以下、上記構成における、送風量決定部３１及びモード設定部３２の処理について説明を行う。なお、システムコントローラ１０は、図１１に示したモード確定処理を実行することによりモード設定部３２を構成する。
【０１８０】
システムコントローラ１０が図１１に示すモード確定処理（Ｓ１５）を実行すると、まず、モード確定処理（図４参照）のＳ２１の処理によって中間期と判断されたかを判定する（Ｓ３１）。その結果、中間期と判断された場合には（Ｓ２１：Ｙｅｓ）、次いで、システムコントローラ１０は、空調室１８の空気の湿度が設定された目標湿度（空調室目標湿度）よりも高いか否かを判定する（Ｓ９１）。なお、空調室目標湿度は、入出力端末１９、つまり目標湿度入力受付部より入力された湿度である。
【０１８１】
ここで、システムコントローラ１０は、空調室１８の空気の湿度が設定された空調室目標湿度よりも高い場合にその湿度が空調室目標湿度となるように、空調室１８の空気を除湿する（Ｓ９１：ＹＥＳ）。
【０１８２】
本実施の形態における空調室１８の除湿は、以下のように行われる。すなわち、システムコントローラ１０を構成するモード設定部は、第１ＡＣを冷房モードとし、さらに冷房モードにおける冷房設定温度を、空調室１８における除湿可能温度に設定する（Ｓ９２）。具体的には、システムコントローラ１０は、空調室温度センサー１４から取得した空調室の温度と、空調室湿度センサー１５から取得した空調室の湿度とに基づいて、空調室の露点温度を算出する。そして、第１ＡＣの冷房設定温度を算出された露点温度以下に設定する。また、空調室１８の空気の湿度と空調室目標湿度との乖離の大きさに基づいて、冷房設定温度を変更する。具体的には、乖離が大きいほど、冷房設定温度を低くし、つまり冷房設定温度と露点温度との差を大きくする。
【０１８３】
また、システムコントローラ１０を構成するモード設定部は、第３ＡＣを暖房モードとし、さらに暖房モードにおける暖房設定温度を、第１ＡＣによる空調室１８の冷却を相殺する温度とする。ここで相殺する温度とは、言い換えると、空調室１８に対して除湿処理を行う前の温度を維持できる温度ということもできる。具体的には、例えば空調室１８の温度が２２度であり、冷房設定温度が１８度と仮定する。この場合、温度差が４度であるため、暖房設定温度は空調室１８の温度である２２度よりも４度プラスした２６度とする。これにより、第１ＡＣによる冷却を第３ＡＣによる加熱で相殺することができる。
【０１８４】
ただし、この相殺は、空調室１８の広さや断熱状況、さらには外気の導入量によって異なることが考えられる。そこで、システムコントローラ１０を構成するモード設定部は、除湿処理を行う前の温度を記憶し、その温度が維持できるよう、第３ＡＣの暖房設定温度を動的に変更してもよい。
【０１８５】
以上の処理により、中間期であって居室の温度制御が不要である温度であっても高湿度の場合には、効率よく除湿を行うことができ、季節相応の自然な温度環境と、より快適な湿度環境とを同時に提供することが可能となる。
【０１８６】
しかも、本実施の形態では、除湿機を動作させるために必要となる配管が不要となり、さらに除湿能力が高い空調システム２０を提供することができる。
【０１８７】
なお、本実施の形態では、中間期の判定を行い、中間期における実施を例として述べた。しかしながら、必ずしも実施の形態１の記載に基づく中間期の判断は必要ではなく、つまり中間期の判断を行うことなく、温度及び湿度の判断みで上述の除湿処理を行ってもよい。
【０１８８】
また、湿度は一定の値に安定させるのが困難である。このため、入出力端末１９を介して入力される空調室目標湿度は、所定の湿度範囲として設定されてもよい。具体的には、空調室目標湿度は４５％〜５５％の範囲として設定される。この場合、空調室目標湿度がこの範囲であれば、除湿処理を行わず、上限値である５５％を超えた場合に、空調室目標湿度をこの範囲の平均値（５０％）として除湿処理を実施する。これにより、制御の困難である湿度の制御を行いやすくなり、複数のエアコンディショナー９ａ〜９ｃの頻繁なオンオフを回避することができる。
【０１８９】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【０１９０】
上記各実施形態において、システムコントローラ１０を外気導入ファン４や各排気ファン５ａ〜５ｄと独立して設け、システムコントローラ１０がハブとなり、システムコントローラ１０と外気導入ファン４、及び、システムコントローラ１０と各排気ファン５ａ〜５ｄとの間で通信を行う場合について説明した。これに対し、外気導入ファン４と各排気ファン５ａ〜５ｄとが直接通信を行い、連動しながら制御が行われてもよい。この場合、システムコントローラ１０は、外気導入ファン４に内蔵されてもよい。
【０１９１】
また、循環ファン６ａ〜６ｄ、及び搬送ファン３ａ〜３ｄは、居室２ａ〜２ｄと空調室１８とを接続するダクトによって連通されている。しかしながら循環ファン６ａ〜６ｄについては必ずしもダクトで接続する必要はなく、居室２ａ〜２ｄ間を結ぶ廊下等の空間をダクトとみなすことも可能である。この場合、居室２ａ〜２ｄ内の空気は居室２ａ〜２ｄから循環ファンによって廊下に搬送される。廊下に搬送された居室２ａ〜２ｄ内の空気は、廊下と連通する空調室１８に取り込まれる。空調室１８への取り込みは、空調室の廊下に面した壁面に取込ファンを備えることで行われ、あるいは循環ファン及び／又は取込ファンを利用することなく空調室１８の負圧化により取り込んでもよい。このような構成によっても、ダクトで接続するのに対して循環効率は下がることが予想されるが、湿度の均一化に寄与することができる。
【産業上の利用可能性】
【０１９２】
本発明に係る換気空調システムは、戸建て住宅やマンション等の複合住宅に適用可能である。なお、複合住宅に適用する場合には、１つのシステムが世帯単位に対応するものであり、各世帯を１つの居室とするものではない。
【符号の説明】
【０１９３】
１    一般住宅
２ａ    居室
２ｂ    居室
２ｃ    居室
２ｄ    居室
３ａ    搬送ファン
３ｂ    搬送ファン
３ｃ    搬送ファン
３ｄ    搬送ファン
４    外気導入ファン
５ａ    排気ファン
５ｂ    排気ファン
５ｃ    排気ファン
５ｄ    排気ファン
６ａ    循環ファン
６ｂ    循環ファン
６ｃ    循環ファン
６ｄ    循環ファン
７    屋外温度センサー
９ａ    第１エアコンディショナー（第１ＡＣ）
９ｂ    第２エアコンディショナー（第２ＡＣ）
９ｃ    第３エアコンディショナー（第３ＡＣ）
１０    システムコントローラ
１１ａ    居室温度センサー
１１ｂ    居室温度センサー
１１ｃ    居室温度センサー
１１ｄ    居室温度センサー
１２ａ    居室湿度センサー
１２ｂ    居室湿度センサー
１２ｃ    居室湿度センサー
１２ｄ    居室湿度センサー
１４    空調室温度センサー
１５    空調室湿度センサー
１６    加湿器
１７    除湿器
１８    空調室
１９    入出力端末
２０    換気空調システム
３１    送風量決定部
３２    モード設定部
３３    ファン風量制御部
【図１】
2020165632.tif 000003
【図２】
2020165632.tif 000004
【図３】
2020165632.tif 000005
【図４】
2020165632.tif 000006
【図５】
2020165632.tif 000007
【図６】
2020165632.tif 000008
【図７】
2020165632.tif 000009
【図８】
2020165632.tif 000010
【図９】
2020165632.tif 000011
【図１０】
2020165632.tif 000012
【図１１】
2020165632.tif 000013